(57)【要約】【課題】室内他空間への喫煙者の煙の漏洩を極少とするとともに、その設置と使用において簡易なる室内用の喫煙所を提供する。【解決手段】その下方にガイドレールとフィルターを有するとともに、上部に吸気装置を設けてなる集煙部を設け、ガイドレールに沿って開閉可能なる仕切幕を吊持することにより、外部と隔離された喫煙空間の区画形成を可能としたことを特徴とする。【選択図】図１２
2008157008.tif 000002
【特許請求の範囲】
【請求項１】
その下方にガイドレールとフィルターを有するとともに、上部に吸気装置を設けてなる集煙部を設け、ガイドレールに沿って開閉可能なる仕切幕を吊持することにより、外部と隔離された喫煙空間の区画形成を可能としたことを特徴とする室内用簡易喫煙所。
【請求項２】
吸気装置上部を中空箱にて覆うとともに、該中空箱に連通する導煙管を設けてなる請求項１記載の室内用簡易喫煙所。
【発明の詳細な説明】
【技術分野】
【０００１】  この発明は、室内における喫煙者の喫煙による部屋の汚染および非喫煙者への影響を排除するために、室内に設ける簡易な喫煙所に関する。
【背景技術】
【０００２】  従来より、室内における喫煙者用の設備としては、空気の吸排気機能を有する装置に空気フィルターと灰皿部分を装備したテーブル状据え置き型のものが多用され、あるいは室内の一部をガラス等にてドア部を有する隔離空間を形成し、その内部に換気扇を設けたものが利用されており、本発明にて示すように、室内の適所に開閉動可能な仕切幕を有する装置を設ける方式のものは見当たらない。
【発明の開示】
【発明が解決しようとする課題】
【０００３】  既述のように、従来からの室内用喫煙設備は据え置き型と隔離空間型が多用されている。
前者はそれなりのスペースを有する設備であるためコスト高となり、またその設備は室内に隔離されずに据え置かれて使用するために、タバコの煙をすべて吸引することは難しい。後者は室内に固定される隔離空間のために、煙の隔離能力は高いものの特定空間が必要となり、つまり喫煙専用のスペースが必要となり、設置においてはそれなりの時間とコストを有する。
本発明は、以上のような従来からの室内喫煙所・設備に関わる課題を解決するために発明されたもので、低コストでの簡易設置が可能であるとともに、喫煙により生ずる煙の隔離効果の高い新規かつ有用なる室内用の簡易な喫煙所を提供することを目的としたものである。
【課題を解決するための手段】
【０００４】  課題を解決する手段として本発明は以下の構成とした。
すなわち、本発明の一つは、その下方にガイドレールとフィルターを有するとともに、上部に吸気装置を設けてなる集煙部を設け、ガイドレールに沿って開閉可能なる仕切幕を吊持することにより、外部と隔離された喫煙空間の区画形成を可能としたことを特徴とする室内用簡易喫煙所である。なお、以上の構成に加えて、吸気装置上部を中空箱にて覆うとともに、該中空箱に連通する導煙管を設けてなる室内用簡易喫煙所としてもよい。
【発明の効果】
【０００５】  本発明によれば、室内の任意に選択した壁面近傍に本発明品を位置させて使用できるので、従来方式に比べてより小さなスペースでの喫煙が可能となり、また、使用者周囲には仕切幕が位置するため、外部空間から隔離された状態での喫煙となるために、煙の室内への漏洩は極少となり、仕切幕は開閉可能のため、不使用時には集煙部下方を喫煙以外の用途に利用可能となるなど、種々の利点を有する有用なる喫煙所を提供することができる。
また、その構成も簡素なので低コストでの設置が可能である。
【発明を実施するための最良の形態】
【０００６】  以下、本発明の実施形態について説明する。
図において、１は略長方形板体による背板、２は背板上部に取りつけられる集煙部である。この集煙部は以下のように構成される。長方形板体による後板３を設け、この後板上部に後板に対し直角に天板４が固着される。この天板の中央近傍は方形に切除され、この切除部分に適宜支持部材にて吸気装置５が取りつけられる。この吸気装置はその下部に吸気口６、上部に排気口７を有し、内部に駆動のためのモーター８とモーター軸に取りつけられた羽根９を有しており、略直方体形状のケースにて覆われている。
１０はガイドレールで、その下方に鍔部を有する断面略コ字状の物体であり、その両端を後板両側の切り欠き部に一致させた略円弧状の外形を有している。１１はシートで、ガイドレールと天板を覆うように貼着して位置し、その下面適所には補強のためのリブ１２が適宜に固着される。従って、後板と天板およびガイドレールそしてシートにて、この集煙部の全体形状が保持される。１３は内接板で、ガイドレールの内側にガイドレール下面に対し段差を有して固着される略円弧状の棒体であり、適度な柔軟性を有している。
１４は見当板で、後板下端に対する段差を有して後板内面に固着される棒体である。
１５は開閉蓋で、薄金属板による小板体であり、その一端がガイドレールに軸支され、この軸を中心として開閉自由である。また、この個所のガイドレールの側部は切除されている。【０００７】  ２０はフィルター押さえである。このフィルター押さえは図６に示すようにガイドレールに内接可能な形状の枠板２１の上面に網体２２を取りつけ、また枠板上面適所には、その先端に膨大部を有する小突起２３が立設される。なお、この小突起に対応する個所の内接板位置には孔１６が設けられており、この孔の内径は小突起の膨大部外径よりわずかに小さく形成される。従って、このフィルター押さえはその小突起を孔にはめ込むことにより集煙部に着脱可能である。
２４はフィルターで、フィルター押さえと同形の通気性素材であり、密集繊維にて形成され、周縁近傍には孔が穿設されている。
３０は仕切幕である。この仕切幕は以下のように形成される。
３１は幕材で、透明な薄合成樹脂シートである。３２は添棒で、断面角形の棒体で幕材両側に各々固着される。３３は小板で、ある程度の剛性を有する合成樹脂板であり、幕材上部に連続的に固着される。３４はスライド部材で、図７に示すように、大径の膨大部３５の下方は小径となって段部３６が形成され、さらに下部はその中央にスリットを有する舌片状となり、このスリット内に小板を位置させて固着される。なお、この段部は前記ガイドレールの下方鍔部内に位置可能であり、従ってスライド部材はガイドレール内にてスライド可能である。なお、一方の添棒には面ファスナー３７が貼着される。
４０は取りつけ金具で、金属製小片であり、取付部を有するとともに下方に向かう舌片４１を有し、背板の適所にビス止めされる一対の物品である。４２は金属製の細長板体による取りつけ金具で、適所にビス穴が穿設され、その両端近傍は折曲されて凹部が２個所形成される。以上から、背板に取りつけられた取りつけ金具の舌片は凹部に挿入係止が可能である。【０００８】  本発明の使用に際しては、まず室内の壁面適所に取り付け金具４２をビス止めする。
次ぎに、背板にビス止めされている取り付け金具４０の舌片４１を取り付け金具４２の凹部に挿入する。この挿入にて背板および集煙部は壁面に取りつけられる。
また、以上の作業前もしくは作業後に集煙部へのフィルター装着を行う。
フィルター押さえの網体面にフィルターをはめ込む。このはめ込みは小突起２３にフィルターの孔を挿入することによりなされる。フィルターをはめ込んだフィルター押さえの小突起を上にして集煙部の内接板に穿設されている孔１６にこの小突起を嵌入することにて、フィルターおよびフィルター押さえが内接板に嵌入保持され、フィルターは内接板下面と見当板下面に接してその位置が定まる。
次ぎに、仕切幕の取付を行う。開閉板１５を開くとガイドレールの一部が露出し、その側部は切除されているので、スライド部材の段部がガイドレールの鍔部に接触するようにして挿入し、順送りに各スライド部材を送り込み、すべてのスライド部材を送り込んでから開閉蓋を閉める。背板には面ファスナー（図示略）が上下に２個所貼着されており、また一方の添棒にも面ファスナーが貼着されているので、これらの面ファスナーを係着させることにより、幕材の一端は壁面に近接して位置し、他端はガイドレールに沿って移動してやはり壁面近傍に位置することとなる。【０００９】  以上の作業にて、壁面上方に近接して壁面と直角に集煙部が位置し、この集煙部の周囲から下方に向けて幕材が開閉可能に吊持されることとなる。以上にて準備は完了する。
喫煙者はこの幕材内側に入り、吸気装置のスイッチを入れる。これにて吸気装置は作動し、吸気口から空気を吸入して排気口から排気する空気の流動が開始される。
喫煙によるタバコの煙は上方へと移動し、フィルターを通過してその有害成分は除去され、無害となった空気が排出される。使用後は、吸気装置を停止させて幕材を折り畳むことにより、通常の室内空間として利用することができる。また、仕切幕上部には小板が連続的に固着されているので、幕材を折り畳むときに一定幅の連続折曲状態にすることができて、幕材をコンパクトかつスマートに保持することができる。
図１０は本発明の他例を示すものである。この例は前例に加えて、中空箱６０と導煙管６１を設けたものである。すなわち、下部開放の直方体の上部に円孔を設け、この円孔に湾曲管体による導煙管の一端を連通固着し、中空箱サイズは吸気装置を覆うものとし、適宜支持部材にて天板に取りつけられ、また壁面適所には外気と連通可能なる円孔を穿設してこの円孔に導煙管の他端を取り付けたものである。
前例は煙成分をフィルターにて除去した後、室内に排気する方式であったが、本例では室外への排気が可能であり、より一層の除煙効果が期待できる。また、必要に応じてフィルターを取り外して使用すれば、一般の換気扇としての利用が可能となる。
なお、集煙部から距離のある他の壁面から排気するようなときには、導煙管を可撓性管体を用いて連通接続すればよい。【００１０】  以上、本発明について記したが、本発明は室内上部に設置できるとともに、不使用時には仕切幕を折り畳むことができて使用時の喫煙空間を開放できるところにその特徴を有するものである。この仕切幕は任意に取り外すことが可能である。また、仕切幕にて非喫煙空間との隔離が可能であるため、煙成分の漏洩を極少にできるなど、多くの利点を有するものである。また、集煙部には集煙部下面のほぼ全域にわたるフィルターが設けられ、このフィルターの上方に位置する吸気装置の吸気口面積に対してフィルター面積は大である。そのためにフィルターの通気速度は遅くなってより有効なる有害成分除去が可能である。また、このフィルターはフィルター押さえの着脱にて容易に交換することができる。
なお、フィルター押さえの適所に握持部を設けると着脱に便利である。
本例にて示した集煙部形状は実施の一例であり、他の種々の形状が可能である。
添棒への面ファスナー貼着は一方のみとしたが、双方に設けてもよく、あるいは面ファスナーに代えてマグネットを用いてもよい。また、図１２に示すように、背板は壁面に直接ビス止めしてもよく、背板適所に灰皿等の灰受け部を設けると使用に便利である。
以上のごとく、本発明によって利便性に富む室内用の喫煙所を得ることができる。
【図面の簡単な説明】
【００１１】
【図１】本発明集煙部の平面図
【図２】本発明集煙部の底面図
【図３】本発明集煙部の正面図
【図４】本発明集煙部の右側面図
【図５】本発明の要部構造説明図（フィルター装着時）
【図６】本発明のフィルター押さえの平面図
【図７】本発明のフィルター押さえの正面図
【図８】本発明のフィルター押さえの要部構造説明図
【図９】本発明の仕切幕の正面図（一部略）
【図１０】本発明の仕切幕に用いるスライド部材の要部構造説明図
【図１１】本発明の壁面への取りつけ説明図
【図１２】本発明の使用説明図
【図１３】本発明の他例説明図
【符号の説明】
【００１２】１    背板
２    集煙部
３    後板
４    天板
５    吸気装置
６    吸気口
７    排気口
８    モーター
９    羽根
１０  ガイドレール
１１  シート
１２  リブ
１３  内接板
１４  見当板
１５  開閉蓋
１６  孔
２０  フィルター押さえ
２１  枠板
２２  網体
２３  小突起
２４  フィルター
３０  仕切幕
３１  幕材
３２  添棒
３３  小板
３４  スライド部材
３５  膨大部
３６  段部
３７  面ファスナー
４０  取り付け金具
４１  舌片
４２  取り付け金具
５０  スイッチ
５１  灰受け部
６０  中空箱
６１  導煙管
【図１】
2008157008.tif 000003
【図２】
2008157008.tif 000004
【図３】
2008157008.tif 000005
【図４】
2008157008.tif 000006
【図５】
2008157008.tif 000007
【図６】
2008157008.tif 000008
【図７】
2008157008.tif 000009
【図８】
2008157008.tif 000010
【図９】
2008157008.tif 000011
【図１０】
2008157008.tif 000012
【図１１】
2008157008.tif 000013
【図１２】
2008157008.tif 000014
【図１３】
2008157008.tif 000015